(57)【要約】外側ワッシャ直径内の精密反作用ソケットアクセスは、段付きブッシュ及び鋸歯上部から延びる多数のツ―ルアクセスキャストを介してナット／ボルトの最終装填後の初期締め付け及び固定の際に低摩擦を可能にする。初期締め付け中の底部鋸歯の滑り及び初期弛緩中のねじ山のロックは、反作用ワッシャが上部に積み重ねられ、螺旋状ランプ及びランプ係合部を介して支持ワッシャと接触させることによって防止することができる。初期締め付け又は弛緩の間、ランプ係合部によって螺旋状ランプが上下にスライドされ、それによってナット／ボルトの軸方向の負荷が主ねじ山にねじ込まれる前に上げ下げされる。クランプリング又はランプ圧子は、２つのワッシャを固定することができる。介在ワッシャは、ワッシャ積層体の軸方向の反作用範囲を拡張することができる。直接張力インジケ―タをランプ圧子と組み合わせてもよい。【選択図】    図７Ｃ
2018536819.tif 000002
【特許請求の範囲】
【請求項１】
反作用ワッシャであって：
ａ）ワッシャ軸と；
ｂ）上面と；
ｃ）前記ワッシャ軸に対して円周方向に配列され、前記上面から離れ、前記反作用ワッシャの外部ワッシャ直径内及びそれ以下で延在している複数のツールアクセスキャストと、を備える、反作用ワッシャ。
【請求項２】
前記複数のツールアクセスキャストのうち少なくとも１つが、前記少なくとも１つのツールアクセスキャストを円周方向に少なくとも部分的にアンダーカットしている係止溝を備える、請求項１に記載の反作用ワッシャ。
【請求項３】
前記外部ワッシャ直径以下で放射状に延在する底面を備える、請求項１に記載の反作用ワッシャ。
【請求項４】
前記複数のツールアクセスキャストのうち少なくとも１つが、前記上面から離れて下方へ延在している、請求項１に記載の反作用ワッシャ。
【請求項５】
前記複数のツールアクセスキャストのうち少なくとも１つが、前記上面から離れて上方へ延在している、請求項１に記載の反作用ワッシャ。
【請求項６】
前記反作用ワッシャの底面上に円周方向に配列される複数の食い込みスパイクを更に備える、請求項１に記載の反作用ワッシャ。
【請求項７】
前記上面より下に配置され、中央ブッシング面を囲んでいる複数の回転止め鋸歯を更に備える、請求項１に記載の反作用ワッシャ。
【請求項８】
板ばねワッシャ本体を更に備える、請求項１に記載の反作用ワッシャ。
【請求項９】
前記回転止め鋸歯は、前記板ばねワッシャ本体が無荷重状態である間、中央ブッシング面の下に、かつ、周辺にあり、そして、前記回転止め鋸歯は、前記板ばねワッシャ本体が均一に荷重される間、少なくとも前記中央ブッシング面と同一のレベルであるように、前記上面のトラフに配置される複数の回転止め鋸歯を更に備える、請求項８に記載の反作用ワッシャ。
【請求項１０】
軸方向に反作用するワッシャ積層体であって：
ａ）ワッシャ軸と；
ｂ）反作用トルクのアクセスを含む上部ワッシャと；
ｃ）支持ワッシャと；
ｄ）螺旋状ランプ境界面であって：
ｉ）前記上部ワッシャ及び前記支持ワッシャのうち少なくとも一方上に、前記ワッシャ軸の周辺でランピングしている少なくとも１つの螺旋状ランプと； 
ｉｉ）前記上部ワッシャ及び前記支持ワッシャのうち少なくとも１つの他方上の少なくとも１つのランプ係合部であって、前記上部ワッシャが前記支持ワッシャに接触すると共に、前記螺旋状ランプに沿って摺動可能な前記ランプ係合部と；
ｅ）前記軸方向に反作用するワッシャ積層体が操作上荷重される間、前記支持ワッシャと共に前記上部ワッシャを回転可能に係止している境界面回転係止部と、を備える螺旋状ランプ境界面であって；
作動トルクが前記上部ワッシャに載せてある締め付け部材上へ誘発されると共に、前記上部ワッシャが、前記支持ワッシャに対して、螺旋運動で前記ワッシャ軸周辺を回転させ、前記作動トルクに対抗する反作用トルクによって前記ワッシャ軸に沿って、それに応じて軸方向に反作用させるような、軸方向に反作用するワッシャ積層体。
【請求項１１】
前記反作用トルクのアクセスが、前記ワッシャ軸に対して円周方向に配列され、前記上面から離れ、前記軸方向に反作用するワッシャ積層体の外部ワッシャ直径内及びそれ以下に延在する複数のツールアクセスキャストから成る、請求項１０に記載の軸方向に反作用するワッシャ積層体。
【請求項１２】
前記複数のツールアクセスキャストのうち少なくとも１つが、前記少なくとも１つのツールアクセスキャストを円周方向に少なくとも部分的にアンダーカットしている円周方向の溝を備える、請求項１１に記載の軸方向に反作用するワッシャ積層体。
【請求項１３】
ランプ係合部が前記螺旋状ランプ内に回転自在に囲まれ、その一方で、前記ランプ係合部が前記螺旋状ランプに接触するように、第１のランプ止め面及び第２のランプ止め面と、前記上部ワッシャ及び前記支持ワッシャのうち少なくとも１つと組み合わされた前記第１のランプ止め面と、前記上部ワッシャ及び前記支持ワッシャのうち他の１つと組み合わされた前記第２のランプ止め面と、を含むランプリフト止めを更に備える、請求項１０に記載の軸方向に反作用するワッシャ積層体。
【請求項１４】
前記第１のランプリフト止め面が、隣接した前記螺旋状ランプであり、前記第２のランプリフト止め面が、隣接した前記ランプ係合部である、請求項１３に記載の軸方向に反作用するワッシャ積層体。
【請求項１５】
リフト止めキャストを含むリフト止めワッシャを更に備え、前記第１及び前記第２のランプ止め面のうち少なくとも１つが、前記リフト止めキャストの一部である、請求項１３に記載の軸方向に反作用するワッシャ積層体。
【請求項１６】
前記境界面回転係止部が：
ａ）前記上部ワッシャ上の第１の円周方向のロック機能と；
ｂ）前記支持ワッシャ上の第２の円周方向のロック機能と；
ｃ）前記第１の円周方向のロック機能及び前記第２の円周方向のロック機能と係合すると共に、前記支持ワッシャを有する前記上部ワッシャと共に回転可能に係止している円周方向のロックリングと、からなる、請求項１０に記載の軸方向に反作用するワッシャ積層体。
【請求項１７】
前記境界面回転係止部は、一旦前記ワッシャ停止レベルに達して、前記軸方向に反作用するワッシャ積層体が軸方向に荷重されているならば、ランプ圧子が前記螺旋状ランプの中に押込まれる前記螺旋状ランプ以外に、前記上部ワッシャ及び前記支持ワッシャのうち少なくとも１つの他方上の前記ランプ圧子からなる、請求項１０に記載の軸方向に反作用するワッシャ積層体。
【請求項１８】
前記支持ワッシャと前記上部ワッシャとの間に積層される介在ワッシャを更に備え；第１の前記螺旋状ランプ境界面が、前記介在ワッシャ及び前記上部ワッシャからなり、第２の前記螺旋状ランプ境界面が、前記介在ワッシャ及び前記支持ワッシャからなる、請求項１０に記載の軸方向に反作用するワッシャ積層体。
【請求項１９】
ナットボルト組立体を更に備え、前記軸方向に反作用するワッシャ積層体が、前記ナットボルト組立体の一部である、請求項１０に記載の軸方向に反作用するワッシャ積層体。
【請求項２０】
締め付け組立体を更に備え、前記軸方向に反作用するワッシャ積層体が、前記締め付け組立体の一部である、請求項１０に記載の軸方向に反作用するワッシャ積層体。
【請求項２１】
軸方向に反作用するワッシャ積層体であって：
ａ）ワッシャ軸と；
ｂ）上部ワッシャと；
ｃ）支持ワッシャと；
ｄ）前記上部ワッシャ及び前記支持ワッシャのうち少なくとも一方上の螺旋状ランプと；
ｅ）前記上部ワッシャ及び前記支持ワッシャのうち少なくとも１つの他方上のランプ圧子であって、前記上部ワッシャが前記支持ワッシャに積層されると共に、前記螺旋状ランプと摺動接触状態にある前記圧子と、を備える軸方向に反作用するワッシャ積層体。
【請求項２２】
前記ランプ圧子が、ベアリングボールからなる、請求項２１に記載の軸方向に反作用するワッシャ積層体。
【請求項２３】
前記ランプ圧子は、前記上部ワッシャが前記螺旋状ランプに沿って前記ワッシャ軸に対して回転すると共に、前記ランプ圧子が前記螺旋状ランプ上で転がっていくように、前記上部ワッシャ及び前記支持ワッシャのうち少なくとも１つに回転自在に支持される、請求項２１に記載の軸方向に反作用するワッシャ積層体。
【請求項２４】
前記ランプ圧子が、押込むランプからなる、請求項２１に記載の軸方向に反作用するワッシャ積層体。
【請求項２５】
前記上部ワッシャ及び前記支持ワッシャのうち少なくとも１つの他方上の押込み止め係合部を更に備え、前記押込み止め係合部が、前記螺旋状ランプに前記ランプ圧子の所定の押込み深さで、前記螺旋状ランプと接触する、請求項２１に記載の軸方向に反作用するワッシャ積層体。
【請求項２６】
前記支持ワッシャのうち少なくとも１つの一部である押込み深さ噴出インジケータと、前記上部ワッシャと、前記上部ワッシャと前記支持ワッシャとの間にある介在ワッシャと、を更に備え、前記押込み深さ噴出インジケータが噴出する媒体を含み、その前記押込み深さ噴出インジケータが、前記螺旋状ランプに前記圧子の所定の押込み深さで、前記軸方向に反作用するワッシャ積層体から離れて噴出する、請求項２１に記載の軸方向に反作用するワッシャ積層体。
【請求項２７】
軸の反作用ワッシャシステムであって：
ａ）締め付け軸と；
ｂ）本締め付けねじにねじ込まれたた締め付け部材であって、前記締め付け部材は、上記主ねじに沿って、前記作動カップリングを介して作動トルクが印加されることによって、回転して作動し、ねじられると共に、前記締め付け部材が前記締め付け軸に沿って軸方向に移動するような、荷重面及び作動カップリングを備える、締め付け部材と；
ｃ）上面及び反作用カップリングを備え、前記上面が前記荷重面と接触している上部ワッシャと；
ｄ）内部作動ソケット及び外部反作用ソケットを備える同心ソケットツールであって、反作用トルクが前記外部反作用ソケットを介して前記反作用カップリングに伝達されると共に、前記作動トルクが前記内部作動ソケットを介して前記締め付け部材に伝達されるように、前記内部作動ソケットが前記作動カップリングを係合し、前記外部反作用ソケットが前記反作用カップリングを係合して、前記締め付け部材及び前記上部ワッシャが、前記締め付け軸周辺で各々に対して逆回転しているように、前記反作用トルクが、前記作動トルクに対抗している、同心ソケットツールと；
ｅ）螺旋状ランプと；
ｆ）前記螺旋状ランプを介して前記上部ワッシャと接触する支持ワッシャと、を備え；
ａ）前記螺旋状ランプが、前記上部ワッシャ及び前記支持ワッシャのうち少なくとも１つの一部であり；
ｂ）前記螺旋状ランプ上のランプ摩擦は、前記上部ワッシャが停止され、前記締め付け部材が前記作動トルクによって更に回転するように、前記反作用トルクが前記支持ワッシャに伝達されるワッシャ停止レベルまで増加するまで、前記上部ワッシャが、前記支持ワッシャに対して螺旋状相対運動の前記反作用トルクによって回転する、軸の反作用ワッシャシステム。
【請求項２８】
前記複数のツールアクセスキャストが、前記上部ワッシャ及び前記支持ワッシャの外部ワッシャ積層体直径内及びそれ以下であり、前記外側のソケットが、前記外部ワッシャ直径内及びそれ以下である外部ソケット底部直径を含む、請求項２７に記載の軸の反作用ワッシャシステム。
【請求項２９】
前記複数のツールアクセスキャストのうち少なくとも１つは、アンダーカットした溝を備え、前記反作用ソケットは、前記ツールアクセスキャスト上に反作用トルクを前記反作用ソケットから伝達する前に、それに対応して形成され、前記アンダーカットした溝と係合して、前記複数のツールアクセスキャストのうち前記少なくとも１つと前記反作用ソケットを軸方向に係止するフックノーズを備える、請求項２７に記載の軸の反作用ワッシャシステム。
【請求項３０】
前記支持ワッシャと前記上部ワッシャとの間に積層される介在ワッシャを更に備え；第１の前記螺旋状ランプが、前記介在ワッシャ及び前記上部ワッシャのうち少なくとも１つからなり、第２の前記螺旋状ランプが、前記介在ワッシャ及び前記支持ワッシャのうち少なくとも１つからなる、請求項２７に記載の軸方向に反作用するワッシャ積層体。
【請求項３１】
一旦前記ワッシャ停止レベルに達して、前記締め付け部材が荷重されているならば、前記ランプ圧子が、前記螺旋状ランプの中に押込まれるような、前記螺旋状ランプ以外に、前記上部ワッシャ及び前記支持ワッシャのうち少なくとも１つの他方上のランプ圧子を更に備える、請求項２７に記載の軸の反作用ワッシャシステム。
【請求項３２】
ａ）前記上部ワッシャ及び前記締め付け部材のうち少なくとも１つが、第１の円周方向のロック機能を備え；
ｂ）前記支持ワッシャが、第２の円周方向のロック機能を備え；
ｃ）前記軸方向に反作用するワッシャ積層体が、前記第１の円周方向のロック機能及び前記第２の円周方向のロック機能と係合すると共に、前記支持ワッシャを有する前記上部ワッシャと共に回転可能に係止している円周方向のロックリングを更に備える、請求項２７に記載の軸の反作用ワッシャシステム。
【請求項３３】
ａ）前記第１の円周方向のロック機能が、前記作動カップリングからなり；
ｂ）前記第２の円周方向のロック機能が、前記支持ワッシャの円周方向の面に垂直に延在している周辺底部鋸歯からなり；
ｃ）前記円周方向のロックリングが、まず最初に前記作動カップリングと係合し、周辺底部鋸歯を通じて連続的に押圧され、その一方で、上記犠牲的マントルリングが、前記締め付け部材、前記上部ワッシャ、及び前記支持ワッシャを通じて加圧して組み立てられる軸方向押圧リングからなる、請求項３２に記載の軸の反作用ワッシャシステム。
【発明の詳細な説明】
【技術分野】
【０００１】
本出願は、同じタイトルのジョン・Ｄ・デイビス及びヨハネス・P．シュネーベルガーの米国特許出願に対する優先権を主張するものである。詳細は代理人整理番号ＩＣＢ １０３１ＵＳ、２０１５年１１月４日に出願された米国特許出願番号１４／９２７６８号を参照されたい。
【０００２】
本発明は、ナット又はボルトヘッドを支持し、反作用ソケットにより保持され、ナット又はボルトヘッドの締め付け又は緩めから反作用トルクを伝達する反作用ワッシャに関する。
【背景技術】
【０００３】
ナット又はボルトヘッドは、そのナット又はボルトヘッドの下のワッシャに反作用トルクを伝達しながら、動力トルクレンチによって締め付けることができる。これは、自動的に中心に寄せられ、且つ、作動トルクを手動で対向させたり、又は反作用部材を介して動力トルクレンチを偏心的に支持することを必要としないバランスのとれた、局所的で全体的なトルク伝達を提供する。これは、日本国特許出願及び米国特許第３５８１３８３号に最初に記載され、特許請求されている。本発明の時点で市販されている反作用ワッシャは、直接的な表現であるか、又はそこからの明白な変化である。
【０００４】
反作用ワッシャは、受け取った反作用トルクを下の載置面上に伝達する。当技術分野で周知のように、反作用トルクは、載置面から締め付け部材に作用する作動トルクに抗するねじ穴、ボルト又はねじ山スタッドに伝達される。滑りを防止し、反作用トルクを載置面に効果的に伝達するため、反作用ワッシャは、通常その底部に鋸歯を設けて、載置面に食い込ませる。これらの底部鋸歯が食い込むためには、底部鋸歯の全体的接触面積が載置面に貫入するのに十分な大きさである初期締め付けの間に接触力が誘発されなければならない。これにより、反作用ワッシャは、動力ツ―ルがナット及び／又はボルトヘッドにトルクを加えても、スリップやスピンせずに前記反作用ワッシャ上の同心円状の反作用ソケットを介して自身を保持することができる。
【先行技術文献】
【特許文献】
【０００５】
【特許文献１】米国特許第３５８１３８３号
【発明の概要】
【発明が解決しようとする課題】
【０００６】
初期手動締め付けの際に載置面に食い込むのではなく、反作用ワッシャがナットと一緒に回転するのを防止するため、反作用ワッシャ上部の摩擦を反作用ワッシャ底部よりも実質的に低くしなければならない。これは、載置面が腐食保護のためにオイル又は塗料で被覆され得る実際の用途において特に問題である。ワッシャ上部の摩擦を最小限に抑えるために、通常はこの部位が滑らかで硬いように作られており、ナットやボルトヘッドが偶発的に緩んでしまうおそれがある。これため、ナット及びボルトヘッドを固定するための従来技術の反作用ワッシャの実現が実質的に困難になってしまう。さらに、ナット又はボルトヘッドと反作用ワッシャとの間に追加の周知の安全ワッシャを使用することは、載置面に食い込む代わりに初期締め付けの間に反作用ワッシャを一緒に引きずる可能性があるため、禁止されている。したがって、底部での食い込みを最大化し、初期締め時にその上部に低摩擦係数を提供し、十分に締められた後にナット及び／又はボルトヘッドを固定するように構成されている反作用ワッシャが必要とされている。本発明は、この必要性に対処するものである。
【０００７】
反作用ワッシャは一般的に周方向スプラインを備えており、これを介して、互いに結合されたときに反作用ワッシャを包含する反作用ソケットによって、反作用トルクが半径方向に伝達される。半径方向のトルク伝達は、特に、従来技術の反作用ワッシャで一般的であるような、疎結合波形のスプラインの場合には、実質的な半径方向の力をもたらす。これらの半径方向の力に耐えるために、反作用ソケットは、その底部において実質的に大きな外径を有していなければならず、反作用ワッシャを介して締め付けたり緩めたりするナット及び／又はボルトヘッドの周りの所要クリアランスを増大させる。また、破片や結果的に生じる塗料が、反作用ワッシャ及び載置面の周囲の底部の隅に蓄積する傾向がある。これは、特に緩めたときに、ナット及び／又はボルトヘッドの折れ防止のために反作用トルクを増加させる必要がある場合に、周方向の反作用ワッシャスプラインの接続が悪くなる。さらに、従来技術の反作用ワッシャのスプラインは浅いため、スプライン及び反作用ソケットが弾性的に変形する可能性があるピ―クトルク伝達中に反作用ソケットが外れてしまう危険性がある。したがって、反作用カップリングに実質的な半径方向の力を生成させず、反作用ワッシャの外径を超えない底部の反作用カップリング外径を提供する反作用ワッシャの反作用カップリングが必要とされている。それは、反作用ワッシャの外側底部輪郭に沿って結果的に蓄積してしまう破片及び／又は塗料の影響を受けず、反作用ソケットの確実な軸方向カップリングを提供して、ピ―クトルク伝達の間にそれが外れてしまうのを防止する。本発明はこの必要性にも対処可能である。
【０００８】
腐食や塗料及び／又は破片は、ナット及び／又はボルトヘッドを緩めるために必要な反作用トルクをより効果的に伝達することができない程度に反作用ワッシャと反作用ソケットとの間の滑り嵌めを損なう可能性があるという問題があった。したがって、反作用カップリングを覆う軸方向に反作用するワッシャ積層体システムの必要性が存在する。本発明はまた、この必要性にも対処する。
【０００９】
従来技術の反作用ワッシャの周方向スプラインは、反作用ワッシャの軸方向両側からアクセスすることができる。したがって、このような従来技術の反作用ワッシャは、滑らかな反作用ワッシャ上部が載置面に接触した状態で、底部鋸歯がナット及び／又はボルトヘッドに係合して、誤って上下逆に組み立てられてしまうおそれがある。反作用ワッシャを誤って逆に組み立てると、動作不能になる。したがって、１つの意図された側からのみ軸方向にアクセスすることができ、それによって意図しない誤った位置決めを排除することができる反作用ワッシャ及び／又は軸方向に反作用するワッシャスタックが必要とされる。本発明はまた、この必要性にも対処する．
【００１０】
ボルトの直径を増加させたり、及び／又は、弾性的に偏向する載置面の場合、手動で仮締め付けする際に最初に確立された軸方向の力は、一般的に、底部鋸歯が咬合するのに不十分である。好ましくない結果として、最終的にオイル塗布され、コ―ティングされた及び／又は弾性的に偏向する載置面を有する大きなサイズのナット又はボルトの実際の使用状況では、従来の反作用ワッシャは、初期パワ―アシスト締めの間にスリップする傾向がある。したがって、最初に受ける反作用トルクに応じて電動ツ―ルの締め付けの開始時に軸方向の接触力を自動的に上昇させ、それによって、載置面への十分な食い込みを確保する軸方向に反作用するワッシャ積層体と一体化又は結合された反作用ワッシャが必要とされている。本発明はまた、この必要性にも対処する
【００１１】
ボルトとナットは、一般に、締め付けと弛緩との間で、それらの主ねじにおける摩擦係数の実質的な増大を経験する。これは当該技術分野で周知のように、腐食や潤滑剤の熱誘導性コ―キング及び／又は主ねじ山の亀裂によって引き起こされる可能性がある。荷重を受けたナット及びボルトを緩めるのに必要なトルクは、ボルト軸の構造上の限界及び／又はナット或はボルト頭部の作動カップリングの構造上の限界を超えて、非破壊的に分解することができない。したがって、反作用トルクを受けて初期電動ツ―ルがゆるめた状態で締め付けられたナットおよび／またはボルトの主ねじにおける軸方向荷重および関連負荷摩擦を自動的に漸減する、軸方向に反作用するワッシャ積層体と一体化又は結合された反作用ワッシャの必要性が存在する。本発明はまた、この必要性にも対処する
【００１２】
従来技術の直接張力表示ワッシャは、ナット及び／又はボルトヘッドが適度に締め付けられ、特に必要最小限のトルクで締め付けられたかどうかを識別し検査するために使用され、非常に実用的である。反作用ワッシャは、ナット及び／又はボルトヘッドの締め付け及び／又は緩めに非常に便利であり、直接的な張力表示を提供する、反作用性ワッシャ積層体に一体化及び／又は結合された反作用ワッシャに対する必要性が存在する。本発明はまた、この必要性にも対処する。
【課題を解決するための手段】
【００１３】
反作用ワッシャは、円周方向に沿って配列され、ワッシャ上部から上方又は下方に延在する複数のツ―ルアクセスキャストを介して、反作用ソケットに対して軸方向に一方向にアクセス可能である。これにより、反作用ワッシャの誤った逆さ組立が防止される。軸方向に延在するツ―ルアクセスキャストのために、前記反作用ソケットは、底部外径が前記反作用ワッシャの外径を超えない状態で係合している。本発明は、反作用ワッシャの周りに追加の組立体クリアランスを必要としない、スリムな反作用ソケットを提供する。ツ―ルアクセスキャストには、トルク伝達の前に反作用ソケットを軸方向にインタ―ロックするためのアンダ―カット溝を有する。このようにして、動力トルクレンチのシンプルなロックが確立され、これにより、ピ―クトルク伝達時にそれが外れるのを防止する。軸方向のインタ―ロックは、反作用ソケットと反作用ワッシャとの間の反作用トルク伝達界面を、外れる危険なしに弾性変形に対して実質的により耐性を備えさせる。
【００１４】
中央初期ブッシング面は、回転止め鋸歯の半径方向内側及び軸方向上に、ワッシャ上部に配置することができる。初期手動締め付けの間、反作用ワッシャが載置面に食い込むことを主な目的として、回転ナット又はボルトヘッドを介して作用する軸方向の力の低摩擦伝達が初期ブッシング面によって提供される。低摩擦に加えて、ワッシャ軸の周りの最小距離における初期ブッシング面の中心位置決めは、反作用ワッシャ上に生じる摩擦トルクをさらに低減する。ワッシャの底部には、スパイクのような尖頭形がワッシャ軸周りで最大距離に配列されている。初期ブッシング面の最小半径と最小底部食い込みピ―クの最大半径との組み合わせは、滑りを効果的に抑制し、反作用ワッシャの載置面への良好な食い込みを容易にする。
【００１５】
締め付けられたナット又はボルトヘッドを固定するため、前記反作用ワッシャは、前記ナット又はボルトヘッドに係合しながら、それらの上に押し付けられたクランプリングに食い込むように円周方向の鋸歯状部を備えていてもよい。代替的または追加的に、反作用ワッシャは、初期ブッシング面よりわずかに下方の上面に回転止め鋸歯を備えていてもよい。初期締め付けに続いて、初期ブッシング面は、完全な締め付けトルクが加えられている間に、ナットまたはボルトヘッドに撓みまたはくぼみを付けることができる。これにより、ナット又はボルトヘッドが回転止め鋸歯状に押圧され、ナット又はボルトヘッドが偶発的に緩くなるのを防止することができる。
【００１６】
手動の仮締めのときに不十分な初期食い込み力が加えられる可能性がある場合、反作用ワッシャは、反作用ワッシャ下方の支持ワッシャ及びそれらの間のねじれ揚力界面を含む軸方向に反作用するワッシャ積層体との間に一体化されるか、組み合わされてもよい。ねじれ揚力界面は、複数の螺旋状ランプ及びランプ係合部を備えている。螺旋状ランプとランプ係合部は、ワッシャが積層されているときに互いに向き合って接触している。反作用ワッシャと結合された反作用ソケットを介した最初の締め付けまたは緩めの間に、ランプ係合部は螺旋状ランプの上方または下方にスライドする。ランプは、螺旋状ランプの上下に摺動する。これにより、反作用ワッシャは、螺旋状の運動で、ワッシャ軸を中心に支持ワッシャに対して回転し、これに対応して、ワッシャ軸に沿って軸方向に反作用する。反作用トルクは、ナット又はボルトヘッドの作動トルクに対抗する。
【００１７】
上部ワッシャの螺旋運動及び軸方向反作用の間、ナット又はボルトヘッドはまだ回転しない可能性がある。これにより、締め付け時に軸方向の食い込み力が増加する。同様に、緩める際には、軸方向の主ねじの負荷が漸減される。軸方向反作用負荷は、ねじれ揚力界面におけるランプ摩擦と、主ねじ界面における摩擦とを増加させる。主ねじ界面における摩擦は、一般的な３０度のねじフランク角のために最初は高くなるが、螺旋状ランプは平坦である。ねじ摩擦の高さによって反作用ワッシャがスリップしてしまうという先行技術の問題の代わりに、本発明では、載置面上の鋸歯状支持ワッシャの底部よりも低い摩擦を有するねじれ揚力界面で滑りが生じる。ねじれ揚力界面の滑りは、ナット又はボルトヘッドが静止している間に、上部ワッシャが支持ワッシャ上で最初に回転してしまう原因になります。上部ワッシャの回転と、支持ワッシャ上のその螺旋状の相対運動との間に、主ねじの軸方向荷重及び摩擦が、直線的且つ比例的に増加する一方で、ねじれ揚力界面におけるはるかに小さな軸方向接触面積が、実質的により高い接触圧力のために比例的な摩擦増加よりも大きく変化する可能性がある。これにより、締め付けの際に、ナット又はボルトヘッドが主ねじにねじ止めされている間に、上部ワッシャがある時点で回転を停止する可能性がある。そのワッシャ停止レベルでは、軸方向反作用は、支持ワッシャが載置面に確実に食い込むレベルまで上昇し、支持ワッシャが滑ることなく、反作用トルクを伝達することができる。
【００１８】
ねじれ揚力界面は、両方のワッシャに接触する特徴を有するランプ揚力止めをさらに備え、ランプ揚力止めが、互いに対してワッシャの角度回転を制限することができるようにする。また、１つ以上の介在ワッシャを、軸方向に反作用するワッシャ積層体の軸方向の反作用高さを増大させるために、上部ワッシャと支持ワッシャとの間に積層してもよい。これにより、上部反作用ワッシャ上に載置されたナット及び／又はボルトヘッドのような締め付け部材が、締め付け部材の電動ツ―ル誘起および反作用カップリング締め付けの開始時に、軸方向に持ち上げられ、仮負荷される。
【００１９】
クランプリングを使用して、支持ワッシャを上部反作用ワッシャ又はナット又はボルトヘッドと共に固定し、同時に、軸方向反作用ワッシャ積層体及び反作用カップリングを覆うようにしてもよい。クランプリングは、軸方向に押圧されてもよいし、円周方向に締め付けられてもよい。ワッシャは、支持ワッシャ上の上部反作用ワッシャの螺旋状の相対運動がワッシャ停止レベルまで軸方向荷重を増加させると、螺旋状ランプに押し込まれるように、初期反作用カップリング締め付けの際に螺旋状ランプに沿って摺動する圧子を介して交互に固定されてもよい。圧子は、ねじれ揚力界面内の直接張力インジケ―タと組み合わされてもよい。
【００２０】
軸方向反作用ワッシャ積層体は、締め付け部材にアクセスして作動させる内部作動ソケットと、反作用ワッシャ又は軸方向に反作用するワッシャ積層体にアクセスして反作用する外部反作用ソケットとを有する同心ソケットツ―ルを含むシステムの一部であってもよい。同心ソケットツ―ルは、油圧式、空気圧式及び／又は電動式トルクレンチのような周知の動力トルクレンチに結合されてもよい。軸方向に反作用するワッシャ積層体上に静止している締め付け部材を最初に手動で組み立てた後、同心ソケットツ―ルを、締め付け部材及び反作用ワッシャ又は上部ワッシャと軸方向に結合させる。一旦、パワ―レンチが起動されると、トルク伝達の直前に、反作用ソケットのフックノ―ズが最初にパワ―レンチに係合し、軸方向にロックする。次に、パワ―レンチが外側反作用ソケットに対して内側作動ソケットを回転させ続けると、前記ランプ係合部は、ワッシャ／締め付け軸の周りを螺旋状に相対運動するように螺旋状の傾斜面上を滑り込み、予め締め付けられた締め付け部材と載置面との間で軸方向の変位を引き起こす。
【００２１】
締め付け組立体の剛性に応じて、軸方向の負荷がかかり、螺旋状の傾斜面とランプ係合部との間の対応するランプ摩擦がワッシャ停止レベルに達するまで、螺旋状の相対運動が数度にわたって継続する。ワッシャ停止レベルでは、ランプ摩擦は、反作用トルクを上部ワッシャから支持ワッシャに伝達するのに十分に高くなっている。載置面弾性が単一のねじれ揚力界面の軸方向の反作用範囲を超える場合、ランプ係合部がランプ揚力止めに到達する前に、ワッシャ停止レベルに到達しないことがあります。その場合には、１つ以上の介在ワッシャを使用して、ねじれ揚力界面の数と軸方向の全体的な反作用範囲を乗算することができる。
【００２２】
締め付け部材が所定のトルクで締め付けられると、同心ソケットツ―ルが取り外され、円周方向のロックリングが軸方向に反作用するワッシャ積層体上に組み立てられる。締め付け部材を再び緩めるには、円周方向のロックリングが最初に取り外され、同心のソケットツ―ルが再び効いてくる。締め付け後に本締め付けねじにおける摩擦が増加した場合、内側ソケットと外側ソケットとの間に適用される初期ゆるみトルクは、ランプ係合部が螺旋状傾斜面を滑り落ち、主ねじ山における軸方向荷重およびねじれ摩擦を下げるため、締め付け部材を非破壊的に分解することができる。ランプ圧子の場合、その圧入形状は、それらがくぼみを付けられた螺旋状傾斜面上で自由に壊れるように、所定のロック解除トルクを発生させるように構成されてもよい。
【００２３】
直接張力インジケ―タは、締め付けの間に到達する少なくとも所定の最小軸荷重を直接示すことができる。同時に、反作用ワッシャと連携して反作用する動力トルクレンチは、正確に調節可能な最大作動トルクを提供することができ、直接張力インジケ―タと共に、締め付けけ組立体における未知の摩擦に関係なく適用された最大及び最小の軸方向ボルト張力についての正確な情報を与える。
【図面の簡単な説明】
【００２４】
【図１Ａ】図１Ａは、本発明の第１の実施形態による凹型ツ―ルアクセスキャストを備えた反作用ワッシャの第１の上面斜視図である。
【図１Ｂ】図１Ｂは、図１Ａの本発明第１の実施形態による第１の底面斜視図である。
【図２Ａ】図２Ａは、本発明の第２の実施形態による軸方向に反作用する積層体内に一体化された反作用ワッシャを分解して配置した第１の平面図である。
【図２Ｂ】図２Ｂは、図２Ａの第２の実施形態における反作用ワッシャ積層体の積層配置における第１の上面斜視図である。
【図２Ｃ】図２Ｃは、円周方向に締め付け可能なクランプリングを含む、図２Ｂの第２の実施形態における反作用ワッシャ積層体の第１の上面斜視図である。
【図２Ｄ】図２Ｄは、介在ワッシャを含む図２Ｂの第２の実施形態における反作用ワッシャ積層体の第１の上面斜視図である。
【図３Ａ】図３Ａは、本発明の第３の実施形態における、凸型ツ―ルアクセスキャストを備えた反作用ワッシャの第１の上面斜視図である。
【図３Ｂ】図３Ｂは、図３Ａの本発明の第３実施形態における第１の底部斜視図である。
【図３Ｃ】図３Ｃは、図３Ａの本発明の第３の実施形態における側面断面図である。
【図４Ａ】図４Ａは、軸方向に結合され、本発明の第４の実施形態による一体化された回転リフト止めを有する軸方向に反作用するワッシャ積層体と組み合わされる図３Ａ―３Ｃの反作用ワッシャの第１の上面斜視図である。
【図４Ｂ】図４Ｂは、軸方向に結合され、本発明の第５の実施形態による独立した回転リフト止めを有する軸方向に反作用するワッシャ積層体と組み合わされる図３Ａ―３Ｃの反作用ワッシャの第１の上面斜視図である。
【図５】図５は、本発明の第６の実施形態による一体化された回転リフト止め及びランプ圧子を有する、軸方向に反作用するワッシャ積層体に組み合わされる反作用ワッシャの第１の底部斜視図である。
【図６Ａ】図６Ａは、本発明の第７の実施形態による一体化された回転リフト止め、ランプ圧子及び噴出式直接張力インジケ―タを備えた、展開された構成の軸方向に反作用するワッシャ積層体に組み合わされる反作用ワッシャの第１の上面斜視図である。
【図６Ｂ】図６Ｂは、図６Ａの第１の底面斜視図である。
【図６Ｃ】図６Ｃは、図６Ａ、図６Ｂを負荷前に積み重ねた状態で示す、軸方向に反作用するワッシャ積層体の第３の上面斜視図である。
【図６Ｄ】図６Ｄは、図６Ａ、図６Ｂを負荷後に積み重ねた状態で示す、軸方向に反作用するワッシャ積層体の第３の上面斜視図である。
【図６Ｅ】図６Eは、本発明の第８の実施形態による軸方向に反作用するワッシャ積層体の第３の上面斜視図である。
【図７Ａ】図７Ａは、本締め付けねじ山の上に配置され、締め付けられるフランジとシ―ル組立体の載置面上に配置された、図３Ａ―３Ｃの反作用ワッシャの第２の上面斜視図である。
【図７Ｂ】図７Ｂは、本締めねじに手動でねじ止めされ、図３Ａ―３Ｃの反作用ワッシャに押し付けられる締め付け部材を含む図７Ａの第２の上面斜視図である。本発明の反作用ソケットの底部は、締め付け部材をその底部で包囲し、ツ―ルアクセスキャストに近づくようにぴったりと描かれている。
【図７Ｃ】図７Ｃは、反作用ワッシャと結合されて反作用トルクが伝達される反作用ソケットの図７Ｂの第２の上面斜視図である。作動ソケットの底部は、反作用部の内側で同心であり、締め付け部材と結合されている。
【図７Ｄ】図７Ｄは、締め付け部材の締め付け後の図７Ｃの第２の上面斜視図である。前記反作用ワッシャ及び前記締め付け部材の底部は、部分切断図に描かれた軸方向に圧入されたクランプリングによって封入されている。
【発明を実施するための形態】
【００２５】
分かり易くするために、図中と明細書中でコンマで区切られた数字は各項目の累積を表し、前方スラッシュによって区切られた数字は各項目の互換性を示し、ダッシュによって分離された数字は、各アイテムの接触、係合、結合及び／又は連動などの相互作用を示す。図面において、括弧内の数字は、図示されていない任意の項目に関する。本明細書において、括弧内の数字は、任意の及び／又はグル―プ化された項目に関する。
【００２６】
図１Ａ、１Ｂ、３Ａ、３Ｂ、３Ｃに示すように、反作用ワッシャ１００／３００は、上面１０１を有していてもよく、底面１０２と、ワッシャ本体１１０と、ワッシャ軸１００Ａに対して円周方向に配列されている複数のツ―ルアクセスキャスト１３３とを備えている。ツ―ルアクセスキャスト１３３は、上面１０１から離れる方向に、反作用ワッシャ１００／３００の外ワッシャ径内１０００Ｄ／３０００Ｄまで延伸している。第１の実施形態では、図１Ａ、１Ｂに示すように、少なくとも１つ、好ましくは全てのツ―ルアクセスキャスト１３３が、上面１０１から離れる方向に下方に延びるように配置されている。第３の実施形態では、図３Ａ、３Ｂ、３Ｃに示すように、少なくとも１つ、好ましくは全てのツ―ルアクセスキャスト１３３が、上面１０１から離れる方向に上方に延びるように配置されている。少なくとも１つ、好ましくは全てのツ―ルアクセスキャスト１３３は、ツ―ルアクセスキャスト１３３を円周方向に少なくとも部分的にアンダ―カットする係止溝１３７を備える。第１の実施形態では、係止溝は、反作用ワッシャ１００全体を包含していてもよい。
【００２７】
底面１０２は、外ワッシャ径１０００Ｄ／３０００Ｄまで半径方向に延びて配置されていてもよい。複数の食い込みスパイク１０６Ｐは、好ましくは外側ワッシャ径１０００Ｄ／３０００Ｄに直接隣接する底面上に円周方向に配列されている。食い込みは、図１Ａ、１Ｂのように尖った先端を有する食い込みスパイク１０６Ｓでもよく、又は図３Ｂ、３Ｃに示すように、先端隆起部１０６Ｓによって形成されてもよい。
【００２８】
第１の実施形態では、反作用ワッシャ１００は、半径方向に突出した底面１０２の高さ１００Ｈ内に収容することができ、ワッシャ円周方向に沿って結果的に垂直な鋸歯１１５、係止溝１３７及び凹型ツ―ルアクセスキャスト１３３を含むように構成されていてもよい。ワッシャ高さ１００Ｈを全体的に収容することにより、ワッシャ上面１０１に受ける主軸方向締め付け荷重を周辺の食い込みスパイク１０６Ｓに振り分けるようにし、それにより剛性が十分な反作用ワッシャ１０６Ｓを得ることができる。食い込みスパイク１０６Ｓがワッシャ軸と締め付け軸１００Ａとの間の最大距離で載置面６１に食い込むことによる良好な結果として、ツ―ルアクセスキャスト１３３が受ける反作用トルクＲＴは、図７Ａ―７Ｄに示されるように、ワッシャが滑るリスクを最小限に抑えて、載置面６１に伝達される。食い込みスパイク１０６Ｓは、食い込みスパイク高さ１０６Ｈの倍数であってもよく、それらの間のスパイクピッチ１０６Ｐを良好に貫通し且つ疎に配列するための最大剛性のために真っ直ぐ下方に延びるように配置されていてもよい。食い込みスパイク高さ１０６Ｈは、反作用ワッシャ１００の製造技術や応用法及びサイズに合わせて選択することができる。食い込みスパイク高さ１０６Ｈは、少なくとも１／１６インチを有していてよい。さらに、食い込みスパイクピッチ及び高さ１０６Ｐ、１０６Ｈは、食い込みスパイク１０６Ｈが腐食、塗料及び／又は潤滑剤層を貫通すること、及び／又はプラスチック、複合材、セラミック、繊維ボ―ド、木材、コンクリ―ト、及び／又は岩石などの軟質及び／又は脆性材料に食い込むことという観点から選択することができる。
【００２９】
締め付け軸１００Ａに最も近い距離にある締め付け部材５０との初期低摩擦摺動接触を提供する中央ブッシング面１０３によって、食い込みスパイク１０６Ｓの食い込みスリップ防止性能をさらに改善することができる。その結果得られる低摩擦トルクは、食い込みスパイク／隆起部１０６Ｓ／１０６Ｒが載置面６１に貫入する前に特に有利である。したがって、中央ブッシング面１０３と周辺に疎配置される食い込みスパイク１０６Ｓとの組み合わせは、滑るリスクを最小化することができる。全負荷締めを行う間、狭いブッシング面１０３は、周囲の回転止め鋸歯１１８が締め付け部材５０と負荷支持接触になるように負荷下で撓むテフロン（登録商標）のような軟質低摩擦材料であってもよい。中央ブッシング面１０３は、反作用ワッシャ１００と共に一体的に製造されてもよい。その場合、締め付け部材５０を全締めする間に締め付け部材５０に貫入するように十分に狭い寸法とすることができ、回転止め鋸歯１１８が締め付け部材５０に再度係合するようにする。
【００３０】
第３の実施形態では、ワッシャ本体１１０を板ばねとして構成してもよい。回転止め鋸歯１１８は、少なくとも部分的に食い込みスパイク１０６Ｓ又は隆起部１０６Ｒと重なるように、上面１０１のトラフ内に配置することができ、板ばねワッシャ本体１１０が荷重を受けていない状態において中央ブッシング面１０３の下方及びその周辺に位置するように配置することができる。ナット又はボルトヘッド５０を全締めする間、板ばねワッシャ本体１１０は、それが平坦になる程度に負荷され、回転止め鋸歯１１８が中央ブッシング面１０３と少なくとも水平となるように構成されていてもよい。このような平坦に負荷する条件において、回転止め鋸歯１１８は、荷重支持となることができ、受けた荷重を、その下の食い込みスパイク１０６Ｓ又は隆起部１０６Ｒに軸方向に直接伝達することができる。撓み高さ１１ＯＨとブッシング面高さ１０３Ｈとを調整することにより、撓み高さ１１ＯＨ及びブッシング面高さ１０３Ｈを調整し、ブッシング面１０３と回転止め鋸歯１１８との荷重分布を修正することもできる。撓み高さ１１ＯＨがブッシング面高さ１０３Ｈよりも大きくなるように選択されている場合は、平坦化荷重は主に回転止め鋸歯１１８及び食い込みスパイク／隆起部１０６Ｓ／１０６Ｒを介して伝達され、ナット又はボルトヘッド５０とワッシャ上面１０１との間の摩擦を増加させることによって、偶発的な緩みに対して最大限対応することができ、その逆も同様である。
【００３１】
第１の実施形態及び第３の実施形態で、初期手動ねじ込みの間に十分な軸方向の力及び食い込みスパイク／隆起部１０６Ｓ／１０６Ｒの食い込みが確立できない場合、反作用ワッシャ１００／３００は、軸方向に反作用するワッシャ積層体２００／４００／５００／６００と一体化されても、組み合わされてもよい。図２Ａ―２Ｄに示すように、反作用ワッシャ１００は、軸方向に反作用するワッシャ積層体２００に一体化されている。それは、上部ワッシャ２１０、支持ワッシャ２２０、ツ―ルアクセスキャスト１３３の好ましい構成における反作用カップリング、ねじれ揚力界面２０３―２０７と、好ましくはランプリフト止め２１１―２１２とを備える。ねじれ揚力界面２０３―２０７の一部は、少なくとも１つの、好ましくは上部ワッシャ２１０及び支持ワッシャ２２０の両方における、ワッシャ積層軸１００Ａの周りに円周方向に配向された複数の螺旋状ランプ２０３である。
【００３２】
支持ワッシャ２２０に対する上部ワッシャ２１０の螺旋状相対運動は、２つのワッシャ１１０、１２０のいずれかの螺旋状ランプ２０３上で摺動又は転動する２つのワッシャ２１０、２２０のいずれかの特徴によって確立することができる。近接エリア接触は、少なくとも対応して形成され、対向して接触する螺旋状ランプ２０３によって確立することができる。ランプ係合部２０７が対向する螺旋状ランプ２０３上で摺動する場合、ランプ係合部２０７は、同様に、近接接触用のそれぞれの螺旋状ランプ２０３に対応して形成されてもよく、また、接触応力に対応して形成されてもよい。
【００３３】
少なくとも１つのしかし好ましくは複数の螺旋状ランプ１０３が、ワッシャ２１０、２２０の間の円周方向にバランスのとれた軸方向荷重伝達のために、ワッシャ積層軸１００Ａの周りに配列されている。螺旋状ランプ２０３を直接接触させることにより、対向する螺旋状ランプ２０３の角度相対的な向きに応じて、所与の荷重に対して変化するそれらの間の接触応力が生じる。また、上部ワッシャ２１０が支持ワッシャ２２０に対して角度ランプ延長部２０６を不正確にしかも過度に回転する場合、螺旋状ランプ２０３は、互いに摺動するように設けてもよい。反作用トルクＲＴおよび所定の反作用ソケット３０のねじれ角は、図７Ｃに示されているように、反作用ソケット３０とツ―ルアクセスキャスト１３３との間の直接円周方向反作用カップリング３２―１３２を介して動力トルクレンチ９０からリアクションソケット３０を介して上部ワッシャ２１０に正確に伝達される。反作用ソケット３０は、所定の反作用ソケット３０のねじれ角が締め付け軸１００Ａの周りの動力トルクレンチ９０に外部から誘導され得るように、動力トルクレンチ９０のハウジングに連結されてもよい。これにより角度ランプ延長部２０６を超えて上部ワッシャ２１０が誤って回転することを回避することができる。
【００３４】
所定の反作用ソケット３０ねじれ角を制御された仕方で外部適用する代わりに、反作用ソケット３０のねじれ角を外部制御せずに、軸方向反作用ワッシャシステム１０を自己調整的に作動させることもできる。この場合、複数のランプ回転止め２１１―２１２は、第１ランプ上部止め面２１１、反対側に組み合わされた第２ランプ上部止め面２１２を含み、ねじれ揚力界面２０３―２０７の追加部分であってもよい。ランプ止め２１１―２１２は、上部ワッシャ２１０と支持ワッシャ２２０との間の回転運動を少なくとも角度ランプ延長部２０６の中に構造的に制限することができる。螺旋状ランプ２０３が一緒に使用されるランプ係合部２０７と関連して作動する実施形態では、第１ランプ上部止め面２１１と第２ランプ上部止め面２１２とを備え、第１ランプ上部止め面２１１と第２ランプ上部止め面２１２は、図２Ａ、５、６Ａ、６Ｂに示すように、ランプ係合部２０７及び下側ランプ端面２２５と交互に円周方向に配置されてもよい。
【００３５】
螺旋状ランプ２０３は、上部ワッシャ２１０、４１０及び支持ワッシャ２２０、４２０の少なくともいずれか一方の部分であってもよいが、好ましくは両方である方がよい。同様に、ランプ係合部２０７は、上部ワッシャ２１０、４１０及び支持ワッシャ２２０、４２０の少なくともいずれか他方の部分であってもよく、好ましくは両方である方がよい。ランプ係合部２０７は、それらの間のスナッピング接触及び均一な応力分布のために、それぞれの対向する螺旋状ランプ２０３に対応して形成されてもよい。加えて、それらの角度係合延長部２０９を有するランプ係合部２０７は、支持ワッシャ２２０、４２０に対する上部ワッシャ２１０、４１０の回転方向に関係なく、対向する螺旋状ランプ２０３と一定のランプ接触領域２０７Ｃを有する。図４Ｂに示されるような、密接に接触する螺旋状ランプ２０３Ａ、２０３Ｂのみを含むねじれ揚力界面２０３―２０３の場合には、支持ワッシャ２２０、４２０に対する上部ワッシャ２１０、４１０の非停止角度ねじれ角２０５Ａは、角度ランプ延長部２０６から安全マ―ジンを引いたものである。螺旋状ランプ２０３及びランプ係合部２０７を含むねじれ揚力界面２０３―２０７の場合、支持ワッシャ２２０、４２０に対する上部ワッシャ２１０、４１０の最大止め角度ねじれ範囲２０５Ｂは、角度ランプ延長部２０６と角度係合延長部２０９との差である。
【００３６】
反作用ソケット底部３５の外側ソケット底部直径３５０Ｄは、ワッシャ積層体軸線１００Ａに対して円周方向に配列されたツ―ルアクセスキャスト１３３を特徴とする反作用カップリング１３３を有することにより、外側ワッシャ又はワッシャ積層体直径１０００Ｄ／２０００Ｄ／３０００Ｄまでの間に維持され、上部ワッシャ２１０の上面２０１から遠ざかるように延在すると共に、反作用ワッシャ１００、３００に教示されたものと同様の外ワッシャ積層体直径２０００Ｄ／３０００Ｄまで延びている。図２Ａ―２Ｄ、５、６Ａ―６Eに示すように、ツ―ルアクセスキャスト１３３は、上面２０１から下方に向かって延在する。係止溝１３７は、少なくとも部分的に、また好ましくは、ツ―ルアクセスキャスト１３３の外側１３６を連続的にアンダ―カットする。図３Ａ―３Ｃ、４Ａ、４Ｂに示すように、ツ―ルアクセスキャスト１３３は、上面２０１Ａから上方に延在するように構成される。ツ―ルアクセスキャスト１３３は、上部ワッシャ２１０の上部に配置され、上部ワッシャ２１０に回転可能に連結された別のクラウンワッシャ３１０の一部とすることができる。クラウンワッシャ３１０の代わりに、少なくともツ―ルアクセスキャスト１３３及び底部カップリング１０７を有することができる。クラウンワッシャ３１０は、反作用ワッシャ１００／３００を使用することができ、これにより、食い込みスパイク又は隆起部１０６は、上部ワッシャ４０１の対応する形状のカップリング鋸歯４１８に結合することができる。反作用ワッシャ１００／３００は、モジュラシステムにおいて軸方向に反作用するワッシャ積層体４００と直接結合されてもよい。
【００３７】
係止溝１３７は、好ましくは、ツ―ルアクセスキャスト１３３の側面１３２を少なくとも部分的にアンダ―カットする。この反作用ソケット３５は、図７Ｂ、７Ｃに示すように、円周方向に係合するフックノ―ズ３７を有する。円周方向に係合するフックノ―ズ３７は対応して形成され、係止溝１３７に係合する。反作用ソケット３０は、反作用トルクＲＴを反作用ソケット３０からツ―ルアクセスキャスト１３３に伝達する前に、ツ―ルアクセスキャスト１３３と軸方向に係合される。これにより、作動および反作用トルクＡＴ、ＲＴの伝達中に、反作用ソケット３０及び取り付けられた動力トルクレンチ９０ がツ―ルアクセスキャスト１３３からはずれるリスクを効果的に排除する。凹型ツ―ルアクセスキャスト１３３と関連して、連続アンダ―カット係止溝１３７は、周知の旋削加工により簡便に製造することができる。凸型ツ―ルアクセスキャスト１３３と関連して、部分的に円周方向にアンダ―カットする係止溝１３７は、周知のＴ―スロットミリング加工、打ち抜き加工及び／又は深絞り加工によって簡便に製造することができる。反作用ワッシャ３００全体及び／又はクラウンワッシャ３１０は、当該技術分野で周知のように、打ち抜き加工及び深絞り加工により製作することができる。同様に、ねじれ止めキャスタ４３３を備える図４Ｂに示すねじれ止めワッシャ４３０は、打ち抜き加工および深絞り加工によって便利に大量製造することができる。
【００３８】
図４Ａにおいて、反作用ワッシャ１００／３００又はクラウンワッシャ３１０は、上部ワッシャ２１０の上部鋸歯４１８と係合する連結鋸歯１０７又は食い込みスパイク／隆起部１０６Ｓ／１０６Ｒを介して上部ワッシャ１１０と直接回転可能に連結されている。図４Ｂにおいて、反作用ワッシャ１００／３００又はクラウンワッシャ３１０は、リフト止めワッシャ４３０Ａを介して上部ワッシャ４１０と間接的に回転可能に連結され、これにより、カップリング鋸歯１０７又は食い込み式スパイク／隆起部１０６Ｓ／１０６Ｒが、鋸歯４３８の外側の止めワッシャに係合し、鋸歯４３７の内側の止めワッシャは、上部鋸歯４１８に係合する。
【００３９】
図７Ｂのように、ツ―ルアクセスキャスト１３３は、好ましくは、外側ワッシャ直径１０００Ｄ／３０００Ｄ又はワッシャ積層体直径２０００Ｄ範囲内で反作用ソケット３０の対応する形状の反作用インタ―ロック３３と係合する。外側ワッシャ／ワッシャ積層体直径１０００Ｄ／３０００Ｄ／２０００Ｄまでの外側底部ソケット直径３５０Ｄは、反作用ワッシャ１００／３００及び／又は軸方向に反作用するワッシャ積層体２００／４００／５００／６００と共に使用されるナット及び／又はボルト組立体１０を締め付けたり緩めたりするための必要なアクセスクリアランスを最小化する。
【００４０】
螺旋状ランプ２０３は、ランプ角度２０８と、第１及び第２のランプ上部止め面２１１の接触によって定義されるランプリフト止め２１１―２１２によって制限され得る角度ランプ延長部１０６とを有する。図４Ｂに示すように、ねじれ止めワッシャ４３０Ａ、４３０Ｂのリフト止めキャスト４３３によってランプリフト４３３―４３３を止めさせることができる。第１のリフト止めワッシャ４３０Ａは、上部ワッシャ４１０と係合接触する鋸歯４３７の内側の止めワッシャを介して上部ワッシャ４１０と回転結合するように構成される。第２のリフト止めワッシャ４３０Ｂは、支持ワッシャの底部鋸歯４１９と係合接触するように鋸歯４３８の内側の止めワッシャを介して支持ワッシャ４２０と包囲して連結されていてもよいし、回転可能に連結されていてもよい。リフト止めワッシャ４３０Ａ、４３０Ｂは同一であってもよく、これらの外側鋸歯４３８は、カップリング鋸歯１０７又は食い込み鋸歯１０６に結合するように動作するか、載置面６１に食い込むように動作する。さらに、第５の実施形態の変形では、リフト止めキャスト４３３は、上部ワッシャ４１０と支持ワッシャ４２０の一体部分であってもよく、それぞれの中央孔２１３、２１４に沿って及び／又はそれらのそれぞれの外周に沿って円周方向に配列されていてもよい。
【００４１】
ランプリフト止め２１１―２１２／４３３―４３３は、対向する螺旋状ランプ２０３Ａ、２０３Ｂ又はランプ係合部２０７が、螺旋状ランプ２０３Ａが傾斜するように対向して螺旋状ランプ２０３と接触しており、螺旋状ランプ２０３Ａ、２０３Ｂが最大ねじれ角２０５Ａ内に制限されるか、またはランプ係合部２０７が、最大ねじれ角２０５Ｂ内および螺旋状ランプ２０３内に円周方向に閉じ込められるときに有効である。この状況では、対向する螺旋状ランプ２０３Ａ、２０３Ｂの一方は、ランプ係合部２０７と同一であると考えてもよい。
【００４２】
図７Ａ―図７Ｄに示すように、ワッシャ／ワッシャ積層軸１００Ａは、軸方向反作用ワッシャシステム１０の主ねじ山２１の締め付け軸１００Ａと一致する。周知のナット及び／又はボルトヘッドのような締め付け部材５０は、六角形のような円周多角形の好ましい形態で作動カップリング５３を有する。作動カップリング５３は、内側作動ソケット４０の嵌合作動インタ―ロック４３によってアクセスされる。締め付け部材５０は上面１０１／２０１／３０１上に載置される。締め付け部材５０は、本締めねじ山２１に螺合される。締め付け部材５０は、動力トルクレンチ９０で生成された作動トルクＡＴによって回転作動されてもよい。反作用ソケット４０は、周囲の反作用ソケット３０に対してカプセル化され、同心であってもよい。両方のソケット３０、４０は、同心のソケットツ―ル３０―４０の一部であってもよく、及び／又は動力トルクレンチ９０に取り付けられてもよい。動力トルクレンチ９０は、周知の油圧式、空気圧式及び／又は電動式トルクレンチであってもよい、
【００４３】
作動トルクＡＴは、内部作動ソケット４０を介して締め付け部材５０に伝達され、反作用トルクＲＴは、締め付け部材５０とワッシャ１００／３００／２１０とが互いに逆方向に回転するように、反作用ワッシャ１００／３００又は上部ワッシャ２１０に逆回転方向に伝達される。ワッシャ１００／３００／２１０が適所に回転可能に保持されている場合、締め付け部材５０は、一方向にのみ回転する。締め付け部材５０が適所に回転可能に保持されている場合、ワッシャ１００／３００／２１０は、他の方向にのみ回転する。
【００４４】
反作用ワッシャ１００／３００の場合、締め付け部材５０を初期手動ねじ止めするときに、食い込みスパイク／隆起部１０６Ｓ／１０６Ｒが載置面６１に押し付けられる。結合作動及び反作用ソケット４０、３０の最終的な締め付けの間に、締め付け部材５０の初期手動ねじ止めを開始するように構成され、締め付け部材５０が作動トルクＡＴによって締め付け又は緩められた直後に、反作用トルクＲＴは、反作用ワッシャ１００／３００を介して、載置面６１に食い込むようにスリップフリ―に伝達される。
【００４５】
螺旋状ランプ２０３及びランプ係合部２０７は、好ましくは半径方向に水平であり、硬化及び／又は低摩擦コ―ティングされ得る滑らかな表面を有する。螺旋状ランプ２０３は、ワッシャ２１０、２２０を連動させることができる周知の平坦又は台形のねじの一部であってもよい。第１のシステムの摩擦状態では、ねじれ揚力界面２０３―２０７／２０３―２０３は、支持ワッシャ底部２０２／４０２と載置面６１との間よりも低く、締め付け部材５０と主ねじ山２１との間よりも低い開始スティクションで構成されている。第２のシステムの摩擦状態において、ねじれ揚力界面２０３―２０７／２０３―２０３は、ワッシャ止めレベルでの止め抵抗が、支持ワッシャ底部２０２／４０２と載置面６１との間のスティクションよりも依然として低く、締め付け部材５０と主ねじ山２１との間のスティクションよりも高く構成されている。第２のシステムの摩擦条件は、ねじれ揚力界面２０３／２０３―２０７における摺動を、ワッシャ底部２０２／４０２と載置面との間の食い込みと組み合わせるか、又はねじれ揚力界面２０３―２０３／２０３―２０７における転動を、ワッシャ底部２０２／４０２と載置面との間の食い込み或はスティクションと組み合わせることによって行うことができる
【００４６】
ワッシャ積層体２００／４００／５００／６００を軸方向に反作用させる場合には、作動トルクＡＴが締め付け部材５０に誘導されると、反作用トルクＲＴは、まず上部ワッシャ２１０／（３１０、(４３０)、４１０）を回転させて螺旋状ランプ１０３に沿って摺動させる。ワッシャ２１０／（３１０、(４３０)、４１０）及び２２０／(４２０、(４３０))の間の結果的な螺旋状相対運動は、螺旋状ランプ２０３のランプ摩擦が、反作用トルクＲＴが支持ワッシャ２２０／４２０上に伝達されるワッシャ止めレベルまで増加するまで継続する。その瞬間に、軸方向の食い込み力も倍増し、食い込みスパイク１０６又は食い込み鋸歯２１９／４３８が載置面６１に貫通する。ワッシャ止めレベルに到達すると、上部ワッシャ２１０／３１０、４１０は回転を止め、反作用トルクＲＴがトップワッシャ２１０ ／（３１０、(４３０)、４１０）を横切って伝達される間に、上部ワッシャ２１０／（３１０、(４３０)、４１０）上に載置された締め付け部材５０ が作動トルクＡＴによってさらに回転され、ねじれ揚力界面２０３―２０７／４３３―４３３及び支持ワッシャ２２０／(４２０、(４３０))を載置面６１に載置する。
【００４７】
好ましくは、一方で円周方向にバランスされた軸方向荷重伝達しつつ、他方で所定のランプ角度２０８に対して最大軸方向反作用高さ２０３Ｈを有するために、少なくとも３つの螺旋ランプ２０３が一方又は両方のワッシャ２１０、２２０に円周方向に配列される。クランプリング２４０／２７０を適用する別個のステップにおいて、最終的な締め付けに続いてワッシャ２１０、２２０が固定される実施形態では、ランプ角度２０８は、ねじれ揚力界面２０３―２０３／２０３―２０７の周知のスティクション摩擦角よりも低くすることができる。ワッシャ２１０、２２０が、圧子５０８／６０７を介して最終的な締め付けと同時に固定される実施形態では、ランプ角度２０８は、ねじれ揚力界面２０３―２０３／２０３―２０７の周知のスティクション摩擦角より高くてもよい。所与の角度ねじれ範囲２０５Ａ／２０５Ｂ及び所与のランプ角度２０８について、軸方向に反作用するワッシャ積層体２００／４００／５００／６００によって、所定の軸方向反作用高さ２０３Ｈが利用可能である。図２Ｄ、６Eに示すように、軸方向反作用高さ２０３Ｈは、上部ワッシャ２１０と支持ワッシャ２２０との間に積層された複数の介在ワッシャ２３０によって乗算されてもよい。少なくともねじれ揚力界面２０３―２０３を含み、好ましくは、ランプリフト止め２１１―２１２を含むねじれ揚力界面２０３―２０７は、上部ワッシャ２１０と介在ワッシャ２３０との間、ならびに介在ワッシャ２３０と支持ワッシャ２２０との間に使用することができる。
【００４８】
上部ワッシャ２１０及び／又は締め付け部材５０は、上部ワッシャ１１０及び／又は一方の軸側に締め付け部材２５１及び他方の軸側に支持ワッシャ１２０を回動自在に係合させる円周方向ロックリング１４０／１７０によって、支持ワッシャ２２０と共に回動自在に係合させてもよい。その目的のために、円周方向ロックリング２４０／２７０は、上部ワッシャ２１０ 及び／又は締め付け部材５０の第１の円周方向ロック機構１１５と、支持ワッシャ２２０の第２の円周方向ロック機構２１７と係合することができる。第１の円周方向ロック機構１１５は、周囲の上面鋸歯１１５及び／又はツ―ルアクセスキャスト１３３及び／又は作動カップリング２５５とすることができる。また第２の円周方向ロック機構は、支持ワッシャ２２０の円周面２０４上に垂直に延在する周辺底部鋸歯２１７であってもよい。同様に、周囲の上面鋸歯１１５は、トップワッシャ２２０の円周面１０４上に垂直に延在することができる。
【００４９】
円周方向ロックリングは、図２Ｃに示すような円周クランプ２４０又は図７Ｄに示すような軸方向押圧リング２７０とすることができる。円周方向クランプ１４０は、円周方向のロックボルト２４５を介して円周方向に締め付けられてもよく、この円周方向のロックボルト２４５は、締め付け時に、それがロック機構１１５及び２１７に半径方向に係合するように、及び／又は該ロック機構１１５及び２１７に押圧されるように、全体的なクランプの直径を減少させる。軸方向プレスリング２７０は、そのカップリング切り欠き４３を作動カップリング５３の上に最初に嵌合させるか、又は、最初に周囲の上面鋸歯１１５上に押圧することによって、軸方向に組み立てられてもよい。軸方向押圧リング２７０は、周辺底部鋸歯２１７上をさらに押し下げることによって固定されている。軸方向押圧リング２７０は単独で使用してツ―ルアクセスキャスト１３３を覆うようにしてもよい。この場合には、鋸歯１１５、２１７を使用することなく、適所に押圧することができる。反作用ワッシャ１００／３００は、回転止め鋸歯１１８が省略された場合に、押圧リング２７０を介して、締め付け部材５０を反作用ワッシャ１００／３００上に回転可能に固定するための円周方向鋸歯１１５を備えることができる。鋸歯１１５、２１７は、円周方向の長いリング２４０／２７０を弾性的又は塑性的に変形させることができる。ロック機能１３３としてツ―ルアクセスキャストと係合する、円周方向ロックリング２４０／２７０は、ツ―ルアクセスキャスト１３３に対応して形成されたクランプカップリング２４７を備えることができる。
【００５０】
図７Ａ―７Ｄと同様に、軸方向に反作用するワッシャ積層体２００／４００／５００／６００は、ナットボルト組立体２０―５０及び／又は締め付け組立体１０の一部であってもよい。ナットボルト組立体２０―５０は、主ねじ山２１を有するねじボルト２０のような係合部材にねじ止めされる締め付け部材５０とを備えることができる。締め付け部材５０がボルトである場合に、係合部材２０は、ナット又はねじ穴であってもよい。図示のケ―スでは、締め付け部材５０はナットであり、係合部材２０は、ボルト又はねじ山スタッドであってもよい。締め付けられた立体１０は、第１の締め付け構造６０、第２の締め付け構造８０とガスケット７０とを備えることができる。係合部材２０は、任意の周知の手段によって回転可能に固定することができる。
【００５１】
図７Ａを参照すると、締め付けされる組立体２０―６０―７０―８０反作用ワッシャ１００／３００を有するか又は  本締め付け用トレッド２１の周りの載置面６１上に置かれたワッシャ積層体２００／４００／５００／６００に軸方向に反作用する。次に図７Ｂに示すように、締め付け部材５０は、反作用ワッシャ１００／３００又は軸方向に反作用するワッシャ積層体２００／４００／５００／６００が載置面６１に食い込まれていないので、反作用トルクＲＴを伝達することなく、最初にねじ止めされる。これは手動で行うことができる。初期ねじ締めの間に、反作用ワッシャ１００／３００が載置面６１に食い込むために十分な初期軸方向荷重が確立されてもよい。軸方向荷重と鋸歯食い込みとをより高いレベルで適用して確実に食い込ませ、連続的な滑りを回避する必要がある場合は、軸方向に反作用するワッシャ積層体２００／４００／５００／６００を使用することができる。
【００５２】
締め付け部材５０を最初にねじ止めした後で、前記反作用ソケット３０は、前記締め付け部材５０の上に摺動し、前記ツ―ルアクセスキャスト１３３に連結される。作動ソケット４０は、締め付け部材５０と同時に連結されてもよい。ソケット３０、４０の両方が動力トルクレンチ９０によって互いに回転可能に取り付けられていてもよい。反作用トルクＲＴが反作用ソケット３０を介して作用する瞬間に、ロックインフック３７が係止溝１３７に係合し、反作用トルクＲＴがツ―ルアクセスキャスト１３３に伝達される前に、反作用ソケット３０と動力トルクレンチ９０とを軸方向に固定する。
【００５３】
反作用ワッシャ１００／３００が載置面６１に既に食い込んでいる場合には、締め付け部材５０が作動トルクＡＴによって回転されている間に、反作用トルクＲＴが載置面６１に直接伝達される。軸方向に反作用するワッシャ積層体２００／４００／５００／６００の場合、反作用トルクＲＴは、ワッシャ止めレベルに達するまで上部ワッシャ２１０／３００／３１０を最初に回転させることができる。螺旋状ランプ２０３及びランプ係合部２０７の少なくとも一方は、螺旋状ランプ２０３と各ランプ係合部２０７との間の摩擦が、支持ワッシャ底部鋸歯２１９と載置面との間の摩擦よりも実質的に低くなるように、低摩擦表面を有し得る。その時点で、上部ワッシャ２１０／３１０／３００は停止し、締め付け部材５０は回転し続ける。所定の締め付けトルクに達すると、ソケット３０、４０が取り外され、反作用ワッシャ１００／３００又は軸方向に反作用するワッシャ積層体２００は、クランプリング２４０／２７０によって固定されてもよい。
【００５４】
図５、６Ａ―６Ｄに示されているように、軸方向に反作用するワッシャ積層体５００／６００では、上部ワッシャ２１０と支持ワッシャ２２０との間の界面回転ロックは、ランプ係合部２０７に埋め込まれたランプ圧子５０８であってもよいし、圧子ランプ係合部６０７の一体部であってもよい。このため、ワッシャ止めレベルに到達し、軸方向に反作用するワッシャ積層体５００／６００が軸方向に完全に負荷されると、ランプ圧子５０８、６０７は、反対側の他の螺旋状ランプ２０３に圧入される。その目的のために、ランプ圧子５０８、６０７は、インデントすることが意図されている螺旋状ランプ２０３よりも実質的に硬質であってもよい。押し込まれた圧子５０８、６０７は、支持ワッシャ２２０上の上部ワッシャ２１０の位置を確保する。ランプ圧子５０８、６０７は、図６Eに示すように、介在ワッシャ２３０と共に使用することもできる。このように、介在ワッシャ２３０は、上部ワッシャ２１０及び支持ワッシャ２２０よりも実質的に柔らかい材料からもっぱら使い捨て低コスト部品として構成することができる。組込みランプ圧子５０８は、ベアリングボ―ル又はベアリングコ―ンのような軸受体であってもよく、回転的に剛性であってもよく、又は自由に組込まれていてもよい。回転可能な圧子５０８は、螺旋ランプ２０３上の摩擦を、ワッシャ止めレベルでは、対応する軸方向荷重、及び対応する反作用トルク伝達摩擦とが実質的に増加するようなレベルまで減少させるのを助けることができる。好適な結果として、また、ねじれ揚力界面２０３―２０７／２０３―２０３における転がり圧子５０８の転がり摩擦が低いため、ワッシャの底部２０２／４０２は、平坦でかつ食い込み機能１０６／２１９を有しないものであってもよく、また、反作用トルクＲＴの滑りのない伝達のための十分な接触摩擦を提供する。これは、載置面６１が硬化されるか、又は食い込みマ―クなしに保持される必要がある場合に、特に有利であり得る。
【００５５】
直接張力インジケ―タは、押込み止め高さ６１３Ｈによって隣接する螺旋状ランプ２０３の上に上昇する押込み止め係合部６１３によって軸方向に反作用するワッシャ積層体６００の一部であってもよい。押込み止め高さ６１３Ｈが、所定量の圧子高さ６０７Ｈよりも低いことにより、押込み止め６１３が所定の押込み深さ６０７Ｄで対向する各螺旋状ランプ２０３に接触され、対向する螺旋状ランプ２０３にランプ圧子の対応する押込み荷重が加えられるように構成されている。ワッシャ積層体荷重及び対応する押込み深さ６０７Ｄを予め決定するのを助けるために、ランプ圧子６０７の押込み領域が、図６Ａに示すように、初期押込み領域６０７Iから最終押込み領域６０７Fに向かって徐々に増大するように、押込みランプ６４６を使用することができる
【００５６】
ランプ圧子５０８／６０７と連動する、押込み深さ噴出インジケ―タ６１０―６１１―６１２は、押込み止め係合部６１３上に埋め込まれていてもよく、上部ワッシャ２１０、支持ワッシャ２２０、及び／又は介在ワッシャ２３０の一部であってもよい。
押込み噴出インジケ―タ６１０―６１１―６１２の一部は、噴出流路６１１を介して加圧プランジャ６１０により軸方向に反作用するワッシャ積層体６００ から離れるように噴出される周知の噴出媒体６１２であってもよく、前記ランプ圧子５０８／６０７は、図６Ｃ、６Ｄに示すように、所定の押込み深さ６０７Ｄに押し込まれる。
【００５７】
締め付け部材５０の弛緩の間に、最終的なクランプリング２４０／２７０が除去され、軸方向に反作用するワッシャ積層体２００／４００／５００／６００は、上部ワッシャ２１０が螺旋状ランプ２０３を最初に摺動することで、軸方向ねじ山の荷重及びロック摩擦を漸減するのを助けることができる。ランプ圧子５０８／６０７の場合には、それらの押込み形状及び／又は押込みランプ６４６の角度が、圧子が押し込まれた螺旋状ランプ２０３の上で圧子５０８／６０７が緩くなる所定のスナップフリ―のトルクに対して選択され得る。
【００５８】
テストセットアップにおいて、ねじれ揚力界面２０３―２０３を含む基本的に軸方向に反作用するワッシャ積層体２００が軟鋼からなる載置面６１に載置した。軸方向に反作用するワッシャ積層体２００は、内径が約２．８インチであり、全体の外径２０００Ｄが約４インチであった。両ワッシャ２１０、２２０は、約６３ＨＲＣ＋／―２ＨＲＣまで硬化された鋼で作られている。ランプ角２０８は約８°であった。載置面６１にモリブデン系グリ―スを塗布して、最も悪い滑り状態をシミュレ―トした。ナット５０は、軸方向に反作用するワッシャ積層体２００を通って延びるボルトねじ山２０に最初に手動で螺合した。ナット５０がワッシャ上面２０１にぴったりと接触すると、動力トルクレンチ９０に取り付けられた同心ソケットツ―ル３０―４０が、ナット５０及び上部ワッシャ２１０に連結された。反作用カップリング締め付けの開始時に、上部ワッシャ２１０、反作用ソケット３０及び動力トルクレンチ９０は、上部ワッシャ２１０がワッシャ止めレベルに達する前に、支持ワッシャ２２０に対して締め付け軸１００Ａ を中心として約５度回転した。上部ワッシャ２１０が停止した直後に、ナット５０は所定のトルクが１５００ｆＴ―ｌＢｓになるまで締め付け軸１００Ａ を中心として反対方向に回転し続けた。この反作用カップリング締め付けの間に、グリ―スが塗布された載置面６１で支持ワッシャ２２０が滑る様子は観察されなかった。
【００５９】
従って、上記図面及び明細書に記載された本発明の範囲は、添付の特許請求の範囲及びそれらの法的同等物によって記載されている。
【符号の説明】
【００６０】
４３カップリング切り欠き
９０動力トルクレンチ
１００／３００反作用ワッシャ
１００Ａワッシャ／ワッシャ積層体／締め付け軸
１０００Ｄ外側ワッシャ／ワッシャ積層体直径
１０１ワッシャ上面
１０２ワッシャ底面
１０３中央ブッシング面
１０３Ｈブッシング面の高さ
１０４ワッシャ円周
１０６食い込みスパイク
１０７底面カップリング
１１０ワッシャ本体
１１０ ワッシャ本体の撓みの高さ
１１８回転止め鋸歯
１３２キャストサイド
１３３反作用カップリング／ツ―ルアクセスキャスト
１３６キャスト外側
１３７係止溝
２００ワッシャ積層体の軸方向への反作用
２０００Ｄ外側ワッシャ積層体直径
２０１積層体上面
２０２積層体底部
２０３螺旋状ランプ
２０３Ａ／２０３Ｂ第１／第２螺旋状ランプ
２０３Ｈ軸方向の反作用高さ
２０４支持ワッシャ円周
２０５角ねじれ範囲
２０６角度ランプ延長
２０７ランプ係合部
２０７Ｃランプ接触領域
２０８ランプピッチ角
２０９角度係合部延長
２１０上部ワッシャ
２１１第１ランプ上面止め面
２１２第２ランプ上面止め面
２１３ ｓｕｐｐｏＲＴ ｗＡｓＨｅＲ ＣｅｎＴｅＲ Ｈｏｌｅ
２１３支持ワッシャセンタ―ホ―ル
２１４上面ワッシャセンタ―ホ―ル
２１５第１の円周方向ロック機構／周辺上面鋸歯
２１７第２の円周方向ロック機構／周辺底面鋸歯
２１８上面鋸歯
２１９底面鋸歯
２２０支持／底面ワッシャ
２２５下側ランプ端面
２３０介入ワッシャ
２４０／２７０円周ロックリング
２４０円周クランプ
２４５円周ロックボルト
２４６上部ワッシャ円周
２４７クランプカップリング
２７０軸プレスリング
２７０Ｈロックリングの高さ
２７００Ｄロックリング外径
２７５リングカップリング
２００軸方向反作用ワッシャシステム
２５０ナットボルト組立体
２５２ ｍＡＴｉｎｇ ｅｌｅｍｅｎＴ
２５２係合部材
２５３底面ワッシャ
２５９本締めねじ山
２７０締め付け組立体
２７１第１締め付け構造
２７２第２締め付け構造
２７３ガスケット
２７７組立体上面
２７８組立体底面
２５１締付け部材
２５７負荷面
２５５作動カップリング
１６０同心ソケットツ―ル
１６００Ｄソケットツ―ル外径
１６１内側ソケット
１６２外側ソケット
１６３反作用インタ―ロック
１６５作動インタ―ロック
１６７円周フックノ―ズ
１６９半径フックノ―ズ
３１０クラウンワッシャ
３１２クラウンキャストサイド
３１８クラウンワッシャ内鋸歯
３１９クラウンワッシャ外鋸歯
３１３クラウンワッシャキャスト
３１７クラウンアンダ―カット溝
３２０リフト止めワッシャ
３２３リフト止めキャスト
３２８止めワッシャ内鋸歯
３２９止めワッシャ外鋸歯
【図１Ａ】
2018536819.tif 000003
【図１Ｂ】
2018536819.tif 000004
【図２Ａ】
2018536819.tif 000005
【図２Ｂ】
2018536819.tif 000006
【図２Ｃ】
2018536819.tif 000007
【図２Ｄ】
2018536819.tif 000008
【図３Ａ】
2018536819.tif 000009
【図３Ｂ】
2018536819.tif 000010
【図３Ｃ】
2018536819.tif 000011
【図４Ａ】
2018536819.tif 000012
【図４Ｂ】
2018536819.tif 000013
【図５】
2018536819.tif 000014
【図６Ａ】
2018536819.tif 000015
【図６Ｂ】
2018536819.tif 000016
【図６Ｃ】
2018536819.tif 000017
【図６Ｄ】
2018536819.tif 000018
【図６Ｅ】
2018536819.tif 000019
【図７Ａ】
2018536819.tif 000020
【図７Ｂ】
2018536819.tif 000021
【図７Ｃ】
2018536819.tif 000022
【図７Ｄ】
2018536819.tif 000023
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
反作用ワッシャであって：
ａ）ワッシャ軸と；
ｂ）上面と；
ｃ）前記ワッシャ軸に対して前記上面の円周方向に沿って配列され、前記上面から離れ、前記反作用ワッシャの外部ワッシャ直径内で延在している複数のツールアクセスキャストと、を備える、反作用ワッシャ。
【請求項２】
前記複数のツールアクセスキャストのうち少なくとも１つが、前記少なくとも１つのツールアクセスキャストを円周方向に少なくとも部分的にアンダーカットしている係止溝を備える、請求項１に記載の反作用ワッシャ。
【請求項３】
前記複数のツールアクセスキャストのうち少なくとも１つが、前記上面から離れて下方へ延在している、請求項１に記載の反作用ワッシャ。
【請求項４】
板ばねワッシャ本体を更に備える、請求項１に記載の反作用ワッシャ。
【請求項５】
軸方向に反作用するワッシャ積層体であって：
ａ）ワッシャ軸と；
ｂ）上部ワッシャであって、
ｉ）上面と；
ｉｉ）前記ワッシャ軸線に対して前記上面の円周に沿って配列され、前記上面から離れ、前記反作用ワッシャの外部ワッシャ直径内で延在している複数のツールアクセスキャストと、を備える上部ワッシャと；
ｃ）支持ワッシャと；
ｄ）前記上部ワッシャ及び前記支持ワッシャのうち少なくとも一方上の螺旋状ランプと；
ｅ）前記上部ワッシャ及び前記支持ワッシャのうち少なくとも１つの他方上のランプ圧子であって、前記上部ワッシャが前記支持ワッシャに積層されると共に、前記螺旋状ランプと摺動接触状態にある前記圧子と、を備える軸方向に反作用するワッシャ積層体。
【請求項６】
前記支持ワッシャのうち少なくとも１つの一部である押込み深さ噴出インジケータと、前記上部ワッシャと、前記上部ワッシャと前記支持ワッシャとの間にある介在ワッシャと、を更に備え、前記押込み深さ噴出インジケータが噴出する媒体を含み、その前記押込み深さ噴出インジケータが、前記螺旋状ランプに前記圧子の所定の押込み深さで、前記軸方向に反作用するワッシャ積層体から離れて噴出する、請求項５に記載の軸方向に反作用するワッシャ積層体。
【請求項７】
軸の反作用ワッシャシステムであって：
ａ）締め付け軸と；
ｂ）本締め付けねじにねじ込まれたた締め付け部材であって、前記締め付け部材は、上記主ねじに沿って、作動カップリングを介して作動トルクが印加されることによって、回転して作動し、ねじられると共に、前記締め付け部材が前記締め付け軸に沿って軸方向に移動するような、作動カップリングを備える、締め付け部材と；
ｃ）反作用ワッシャ積層体及び反作用ワッシャのうち少なくともいずれか１つであって、
ｉ）前記締め付け部材によって押される上面と；
ｉｉ）前記ワッシャ軸線に対して前記上面の円周に沿って配列され、前記上面から離れ、かつ前記反作用ワッシャの外側ワッシャ径内で延在している複数のツールアクセスキャストと；
ｉｉｉ）複数の食い込みスパイク及び複数の底部鋸歯のうち少なくとも一つと、を含んでいる、反作用ワッシャ積層体及び反作用ワッシャのうち少なくともいずれか１つと；
ｄ）内部作動ソケット及び外部反作用ソケットを備える同心ソケットツールであって、前記内側作動ソケットが前記作動カップリングと係合され、前記外側反作用ソケットが前記ツールアクセスキャストと係合され、前記作動トルクが前記内側作動ソケットを介して前記締め付け部材に伝達され、前記反作用トルクが前記外部反作用ソケットを介して前記ツールアクセスキャストに伝達され、前記食い込みスパイク及び前記底部鋸歯の少なくとも1つを介して載置面上に伝達され、そのうち、前記反作用トルクは前記作動トルクに対向し、前記締め付け部材が前記反作用ワッシャに押し付けられている間に前記締め付け部材が前記締め付け軸を中心に回転されており、前記反作用トルクが前記反作用ワッシャを介して前記載置面に伝達されるように、前記鋸歯状スパイク及び前記底部鋸歯の少なくとも1つが前記載置面に食い込む内側作動ソケットと外側反作用ソケットを含む、同心ソケットツールと、を備える、軸の反作用ワッシャシステム。
【請求項８】
前記複数のツールアクセスキャストのうち少なくとも１つは、アンダーカットした溝を備え、前記反作用ソケットは、前記ツールアクセスキャスト上に反作用トルクを前記反作用ソケットから伝達する前に、それに対応して形成され、前記アンダーカットした溝と係合して、前記複数のツールアクセスキャストのうち前記少なくとも１つと前記反作用ソケットを軸方向に係止するフックノーズを備える、請求項７に記載の軸の反作用ワッシャシステム。
【請求項９】
軸方向に反作用するワッシャ積層体であって、そのうち前記ワッシャ積層体が、
ａ）前記上面と前記ツールアクセスキャストとを含む上部ワッシャと；
ｂ）前記食い込みスパイク及び前記底部鋸歯の少なくとも1つを含む支持ワッシャと；
ｃ）前記上部ワッシャ及び前記支持ワッシャの少なくとも一部である螺旋状ランプと、を含み、前記上部ワッシャが前記反作用トルクによって回転されている間、前記上部ワッシャが前記支持ワッシャに対して螺旋状に相対移動し、前記螺旋状ランプのランプ摩擦は、前記上部ワッシャが停止され、前記締め付け部材が前記作動トルクによってさらに回転されるように、前記反作用トルクが前記支持ワッシャに伝達されるワッシャ上面レベルまで増加することを特徴とする、請求項７に記載のワッシャ積層体。
【請求項１０】
ａ）前記上部ワッシャ及び前記締め付け部材のうち少なくとも１つが、第１の円周方向のロック機能を備え；
ｂ）前記支持ワッシャが、第２の円周方向のロック機能を備え；
ｃ）前記ワッシャ積層体が、前記第１の円周方向のロック機能及び前記第２の円周方向のロック機能と係合すると共に、前記支持ワッシャを有する前記上部ワッシャと共に回転可能に係止している円周方向のロックリングを更に備える、請求項９に記載の軸の反作用ワッシャシステム。
【国際調査報告】
2018536819.tif 000024
2018536819.tif 000025
2018536819.tif 000026